(57)【要約】【課題】嵌合強度と液密性の調整が容易であるとともに、さらに気密性も保証することが可能な気密キャップを提供する。【解決手段】容器４の注出口８周囲に装着されるとともに、注出口に連通される中空筒体状の注出筒部９が形成された注出用部材２と、注出用部材にその上方から被着されるとともに、注出筒部に上下方向から挿抜自在に挿入され、その表面が注出筒部の表面に摺接されて気密シールを形成する中空筒体状の栓体１６が形成されたキャップ体３と、注出筒部外方に位置させてキャップ体と注出用部材との間に設けられ、これらキャップ体と注出用部材とを嵌脱自在に嵌合する環状凸部１７と凹溝１９を有する嵌合手段と、注出筒部外方に位置させてキャップ体と注出用部材との間に設けられ、嵌合手段による嵌合を離脱させるべく注出用部材に対しキャップ体をリフトアップさせる迫り上げ突起２２と当接突起２３を有するリフト手段とを備えた。【選択図】          図２
2004331134.tif 000002
【特許請求の範囲】
【請求項１】
容器の注出口周囲に装着されるとともに、該注出口に連通される中空筒体状の注出筒部が形成された注出用部材と、該注出用部材にその上方から被着されるとともに、上記注出筒部に上下方向から挿抜自在に挿入され、その表面が該注出筒部の表面に摺接されて気密シールを形成する中空筒体状の栓体が形成されたキャップ体と、上記注出筒部外方に位置させて上記キャップ体と上記注出用部材との間に設けられ、これらキャップ体と注出用部材とを嵌脱自在に嵌合する嵌合手段と、上記注出筒部外方に位置させて上記キャップ体と上記注出用部材との間に設けられ、上記嵌合手段による嵌合を離脱させるべく該注出用部材に対し該キャップ体をリフトアップさせるリフト手段とを備えたことを特徴とする気密キャップ。
【発明の詳細な説明】
【０００１】
【発明の属する技術分野】
本発明は、嵌合強度と液密性の調整が容易であるとともに、さらに気密性も保証することが可能な気密キャップに関する。
【０００２】
【従来の技術】
従来、ローションやミルクなどの液体を収納する容器に用いられるキャップとして、例えば特許文献１〜３に開示されているものが知られている。これら特許文献１〜３では、容器の注出口周囲に装着される注出用部材に、基端が当該注出口と連通され先端に注出孔を有する中空筒体状の注出筒部を形成するとともに、この注出筒部内に嵌合段部を形成し、また注出用部材に上方から被着されるキャップ体に、注出筒部内に上方から挿抜自在に挿入される栓体を形成するとともに、この栓体に嵌合突起を形成し、当該嵌合突起を嵌合段部に嵌合させることにより、キャップ体を注出用部材に保持すると同時に、容器内部の液密を保持するようにしていた。
【０００３】
【特許文献１】
実公平４−２０７６０号公報
【特許文献２】
実公平４−２４８２６号公報
【特許文献３】
実公平４−２４８２７号公報
【０００４】
【発明が解決しようとする課題】
ところで、上記特許文献１〜３ではいずれにあっても、嵌合突起と嵌合段部とで、キャップ体の注出用部材への嵌合保持および液密を両立させるようにしていたため、これら嵌合強度と液密性両者の調整が難しく、すなわちキャップ体を取り外ししやすいように嵌合強度を低くすると、十分な液密性を得ることができず、他方、高い液密性を確保するようにすると、きつくなってキャップ体が取り外しにくくなってしまうという課題があった。
【０００５】
本発明は上記従来の課題に鑑みて創案されたものであって、嵌合強度と液密性の調整が容易であるとともに、さらに気密性も保証することが可能な気密キャップを提供することを目的とする。
【０００６】
【課題を解決するための手段】
本発明にかかる気密キャップは、容器の注出口周囲に装着されるとともに、該注出口に連通される中空筒体状の注出筒部が形成された注出用部材と、該注出用部材にその上方から被着されるとともに、上記注出筒部に上下方向から挿抜自在に挿入され、その表面が該注出筒部の表面に摺接されて気密シールを形成する中空筒体状の栓体が形成されたキャップ体と、上記注出筒部外方に位置させて上記キャップ体と上記注出用部材との間に設けられ、これらキャップ体と注出用部材とを嵌脱自在に嵌合する嵌合手段と、上記注出筒部外方に位置させて上記キャップ体と上記注出用部材との間に設けられ、上記嵌合手段による嵌合を離脱させるべく該注出用部材に対し該キャップ体をリフトアップさせるリフト手段とを備えたことを特徴とする。
【０００７】
注出筒部外方に位置させてキャップ体と注出用部材との間に設けた嵌合手段により、これら注出用部材とキャップ体とを嵌脱自在に嵌合する一方で、注出筒部に摺接される栓体により、気密シールを確保するようにしていて、嵌合強度と液密性、ひいては気密性の保持とを別々の手段で行うようにしていることから、これら嵌合強度と液密性等を個別にかつ自由に調整することが可能となり、高い液密性と良好なキャップの取り外し性とを確保し得る。そして特に、このように嵌合強度と液密性等の調整を別々に行えるようにした上で、注出筒部の表面に栓体の表面を摺接させることによって、従来の嵌合段部と嵌合突起との嵌合による場合に比べて、高い液密性、ひいては気密性を確保することが可能となる。
【０００８】
【発明の実施の形態】
以下に、本発明にかかる気密キャップの好適な一実施形態を、添付図面を参照して詳細に説明する。本実施形態にかかる気密キャップ１は図１〜図５に示すように、注出用部材２と、これにその上方から着脱自在に被着されるキャップ体３とから主に構成され、容器４に取り付けられる。容器４は、液体を収納する中空筒体状の胴部５と、この胴部５の上部に上方へ向かって窄まる錐体面状に形成された肩部６と、この肩部６の上部に上方へ向かって中空筒体状に形成された首部７とから構成され、首部７には、胴部５内に連通されて液体を注出するための注出口８が形成されている。
【０００９】
注出用部材２は、中空筒体状の注出筒部９と、この注出筒部９からその径方向外方へ向かって拡張形成された環状スカート部１０とから構成され、スカート部１０の内周に形成された凸部１１が、首部７の外周に形成された凹部１２に係合されることにより、容器４にその注出口８周囲を取り囲んで装着される。
【００１０】
注出筒部９は、スカート部１０の接合位置を挟んでスカート部１０よりも上方へ突出された上方部分の先端に注出孔１３が形成されるとともに、スカート部１０より下方部分が首部７内に挿着され、これにより注出筒部９は容器４の注出口８と連通される。注出筒部９の内周面９ａは、平坦な筒体面で形成される。
【００１１】
他方、キャップ体３は、平板状の天井部１４と、この天井部１４から容器４の胴部５の平面外形輪郭に沿って垂下形成された中空筒体状の周壁部１５とから主に構成される。天井部１４中央には、これより中空筒部９に向かって垂下させて、当該中空筒部９に上下方向から挿抜自在に挿入される中空筒体状の栓部１６が形成される。この栓部１６はこれを径方向に弾性変形自在とするために、その下端が開放されて形成される。
【００１２】
この栓部１６の外径寸法は注出筒部９の内径寸法にほぼ一致させて形成されるとともに、栓部１６の外周面１６ａも注出筒部９の内周面９ａと同様に、平坦な筒体面で形成され、これにより栓部１６と注出筒部９とは互いに摺接されて、栓部１６が注出筒部９内で若干上下動しても、シール切れすることのない気密シールが形成される。
【００１３】
また、キャップ体３と注出用部材２との間には、注出筒部９外方に位置させて、これらキャップ体３と注出用部材２とを嵌脱自在に嵌合する嵌合手段が設けられる。この嵌合手段は本実施形態にあっては、スカート部１０の外周面にその周方向に沿って形成された環状凸部１７と、キャップ体３にスカート部１０周囲を取り囲むように天井部１４から垂下形成した中空筒体状の内筒部１８の内周面に形成され、環状凸部１７と嵌脱自在に嵌合される凹溝１９とから構成される。
【００１４】
凹溝１９はより詳細には、スカート部１０を取り囲む内筒部１８の下半部にその周方向に適宜間隔を隔てて形成したスリット２０によって、当該内筒部１８にその径方向へ弾性変形自在に形成された複数の弾性片２１それぞれに、環状凸部１７と相対向させて形成される。そして、キャップ体３を注出用部材２に被せて押し下げると、弾性片２１の弾性変形を伴って、凹溝１９が環状凸部１７に嵌合されるようになっている。
【００１５】
さらに、キャップ体３と注出用部材２との間には、注出筒部９外方に位置させて、凹溝１９を環状凸部１７から離脱させるべく、注出用部材２に対しキャップ体３をリフトアップさせるリフト手段が設けられる。このリフト手段は本実施形態にあっては図３に示すように、スカート部１０の上端にその周方向に沿って等間隔で４つ形成された迫り上げ突起２２と、スカート部１０よりも上方の内筒部１８の上半部にスカート部１０上へ突出させて、かつ当該内筒部１８の周方向に沿って等間隔で４箇所形成された板状の当接突起２３とから構成される。
【００１６】
迫り上げ突起２２は、容器４の周方向に沿って上昇し下降するテーパ面２２ａを備え、図４に示すようにキャップ体３を注出用部材２に対して容器４の周方向へ回転させると、当接突起２３が迫り上げ突起２２のテーパ面２２ａに当接した後、当接突起２３が迫り上げ突起２２を乗り越えていき、この乗り越えの際にスカート部１０に対して内筒部１８が上昇し、これによってキャップ体３が注出用部材２に対してリフトアップされ、ひいては凹溝１９が環状凸部１７から離脱されるようになっている。
【００１７】
以上の構成を備える気密キャップ１の作用について説明すると、キャップ体３を取り外すときには、キャップ体３を容器４の周方向に回転させる。キャップ体３を回転させると、内筒部１８の当接突起２３がスカート部１０の迫り上げ突起２２を乗り越えることとなり、この乗り越えによって内筒部１８、ひいてはキャップ体３が注出用部材２に対して相対的にリフトアップされる。
【００１８】
キャップ体３がリフトアップされると、弾性片２１の弾性変形を伴いつつ凹溝１９が環状凸部１７から離脱され、その後キャップ体３を引き上げれば栓体１６が注出筒部９から抜出されて、これによりキャップ体３を注出用部材２、ひいては容器４から取り外すことができる。このようにしてキャップ体３を取り外すことで、容器４の胴部５内の液体を注出孔１３から取り出すことができる。
【００１９】
他方、キャップ体３を容器４に取り付ける際には、キャップ体３を注出用部材２にその上方から被せて押し下げる。当接突起２３が迫り上げ突起２２と干渉しないときはキャップ体３はそのまま下降される一方で、これら突起２２，２３が突き当たったときには、当接突起２３は迫り上げ突起２２のテーパ面２２ａに沿ってスライドして、キャップ体３をわずかに回転させ、これにより当接突起２３が迫り上げ突起２２を避けて、キャップ体３が下降される。このようにキャップ体３が注出用部材２に対して下降していくのに伴って、栓体１６が注出筒部９内に挿入されていき、最後に凹溝１９が弾性片２１の弾性変形を利用して、環状凸部１７に嵌合される。
【００２０】
ところで、本実施形態にかかる気密キャップ１にあっては、キャップ体３と注出用部材２との間に設けた環状凸部１７と凹溝１９とによって、これら注出用部材２とキャップ体３とを嵌脱自在に嵌合する一方で、注出筒部９に摺接される栓体１６で気密シールを確保するようにしたので、すなわち嵌合強度と液密性、ひいては気密性の保持とを別々の手段・場所で行うようにしたので、これら嵌合強度と液密性等を個別にかつ自由に調整することが可能となり、高い液密性と良好なキャップ体３の取り外し性とを確保することができる。
【００２１】
そして特に、このように嵌合強度と液密性等の調整を別々に行えるようにした上で、注出筒部９の内周面９ａに栓体１６の外周面１６ａを摺接させることによって、従来の嵌合段部と嵌合突起との嵌合による場合に比べて、高い液密性、ひいては気密性を確保することができる。
【００２２】
また、上記従来技術にあっては、注出筒部の嵌合段部は、注出孔側先端部分を小さな内径にするとともに、容器側基端部分を大きな内径とすることによって形成されていて、大きな内径の容器側基端部分に達した嵌合突起をその嵌合段部で受け止めて、嵌合状態を維持するようにしていたため、キャップ体が上下に押し引きなどされると、嵌合突起が嵌合段部下の容器側基端部分で簡単に上下に移動して栓体が注出筒部に対してガタつき、このため液密性はある程度保証できるものの、気密性までは保証することができないものであった。
【００２３】
これに対し、本実施形態にかかる気密キャップ１では、注出筒部９の内周面９ａに栓体１６の外周面１６ａを摺接させて気密シールを形成するようにしているので、環状凸部１７と凹溝１９との嵌合隙間によってキャップ体３が注出用部材２に対して上下動しても、シール切れが生ずることを防止でき、さらに気密性を向上することができる。
【００２４】
【発明の効果】
以上要するに、本発明にかかる気密キャップにあっては、嵌合強度と液密性の調整が容易であるとともに、さらに気密性も保証することができる。
【図面の簡単な説明】
【図１】本発明にかかる気密キャップの好適な一実施形態を示す一部破断斜視図である。
【図２】図１の気密キャップが閉じられている状態を示す側断面図である。
【図３】図２中、Ａ−Ａ線矢視断面図である。
【図４】図１の気密キャップに採用されているリフト手段を示す、容器の周方向に沿う部分拡大展開図である。
【図５】図１の気密キャップが開かれた状態を示す側断面図である。
【符号の説明】
１  気密キャップ                    ２  注出用部材
３  キャップ体                      ４  容器
８  注出口                          ９  注出筒部
９ａ  注出筒部の内周面              １０  環状スカート部
１６  栓体                          １６ａ  栓体の外周面
１７  環状凸部                      １８  内筒部
１９  凹溝                          ２２  迫り上げ突起
２３  当接突起
【図１】
2004331134.tif 000003
【図２】
2004331134.tif 000004
【図３】
2004331134.tif 000005
【図４】
2004331134.tif 000006
【図５】
2004331134.tif 000007